(57)【要約】  【課題】組み立て分解が容易で、大型の重量物であっても適切に運搬できる構造のパレットを提供する。  【解決手段】櫛歯状をなす複数の縦リブ２１及び横リブ２２を嵌め合わせた格子構造をなすパレットコア２の上に根太４を嵌め込み、これらをテープ材１０ｘによって受け皿状に組み立てたトレイパレット１上に、上端がほぼ面一となる状態で配置する。この場合、フォークガイド３と根太４は直交配置し、フォーク非使用時には積載荷重がパレットコア２を介してトレイパレット１に、フォーク使用時には積載荷重が根太４を介してフォーク全体に支持されるようにする。  【選択図】図１
2010064762.tif 000002
【特許請求の範囲】
【請求項１】
段ボール片を素材として構成されるトレイパレット、パレットコア、フォークガイド及びフロアボードを具備するものであって、
トレイパレットは底面の四辺に折片を有し、その折片を上向きに折り曲げることによって立面を構成するとともに、折り曲げた折片の側縁同士をテープ材等の簡易止着要素で止着することによって上方に開放されたものであり、
パレットコアは、櫛歯状をなす複数の縦リブ及び横リブを嵌め合わせた格子構造をなすものであって、横リブの下縁側に位相の揃ったフォークガイド回避用切欠を有し、前記トレイパレット上に置き敷かれるものであり、
フォークガイドはチャネル状をなし、下向きに開口するように前記横リブのフォークガイド回避用切欠内に嵌め合わせられるものであり、
フロアボードは、前記トレイパレットの立面の内側に収まるように前記パレットコア上に載置されるものであり、
前記トレイパレットを床上に設置して前記フロアボード上に重量物を載置した状態で、その上載荷重をパレットコアで受圧してトレイパレットの底面に分散支持させるとともに、前記フォークガイドにフォークを差し込んだ状態で、前記上載荷重をフォークガイドを介してフォークほぼ全体に分散支持させるように構成したことを特徴とするパレット。
【請求項２】
少なくともトレイパレット及びフロアボードが、それぞれ複数枚の段ボール片から構成され、トレイパレットを構成する段ボール片同士の継ぎ目は、ホゾ・ホゾ切欠などの凹凸係合構造を介して面方向に連ねた構造をなすとともに、フロアボードは、その一部の側縁に設けた折片を折り曲げることによって形成される立面を有し、その立面を前記トレイパレットの立面にテープ材等により固定して、フロアボード及びトレイパレットが中空箱状をなすように構成している請求項１記載のパレット。
【請求項３】
前記縦リブの上縁に根太挿入切欠を設け、この根太挿入切欠にフォークガイドと直交する方向に所定ピッチで金属線材からなる根太を嵌めこんで、フォーク差し込み時に上載荷重を根太及びフォークガイドを介してフォークほぼ全体に支持させるようにしている請求項1又は２何れかに記載のパレット。
【請求項４】
パレットコアは、フォークガイドと平行なリブに下縁側に開口する切り込みを形成し、フォークガイドと直交するリブに上縁側に開口する切り込みを形成して、切り込み同士を嵌め合わせたものである請求項１〜３のいずれかに記載のあるパレット。
【請求項５】
トレイパレットを構成する段ボール片同士の継ぎ目をフォークガイドと直交させて配置している請求項２に記載したパレット。
【請求項６】
フロアボードは立面となる折片を有し、その折片をトレイパレットの折片にテープ材等により固定してパレットコアを内部に閉じ込めるようにしている請求項１記載のパレット。
【請求項７】
請求項２又は５のいずれかに記載のパレットの上に積載される積載物の周囲を覆う側面板を更に備えたものであって、側面板は一対の平断面コの字型をなす段ボール片を向き合わせ、側縁部同士を厚み方向に重なり合わせた状態で下端部をパレットの立面の内側に収まるようにフロアボード上に載置していることを特徴とする箱体。
【請求項８】
側面板の四隅に剛性のある支柱を、フロアボードに貼着した受圧板に柱脚を支持させた状態で取り付けている請求項７記載の箱体。
【請求項９】
側面板の上に更に蓋体を備え、この蓋体に貼着した受圧板に剛性のある支柱の柱頭を支持させている請求項８記載の箱体。
【発明の詳細な説明】
【技術分野】
【０００１】
本発明は、大型の積載物に対応した、パレット及び箱体に関するものである。
【背景技術】
【０００２】
例えば、上面に板を取り付け上面と底面の間に根太を介在させる構造として特許文献１に示されるパレットが知られている。
【０００３】
このパレットは、底面板の上に各々複数列の縦根太材と横根太材とを重ね、その上部に上面板を配置して、上記横根太材にフォーク差し込み用の切欠を位相を揃えて形成した構造をなしている。縦根太材や横根太材は、段ボール片を多層に貼り合せて構成されている。
【０００４】
また、例えば、多数のベース板と多数の支持部を組み合わせて一体化した紙製パレットとして特許文献２に示されるパレットが知られている。
【０００５】
このパレットは、ベース板の上下に差込切欠を設ける一方、このベース板の上下に嵌め合わせる支持板にも差込切欠を設け、差込切欠同士を嵌め合わせることによって、ベース板の上下に支持板を交差させて取り付けるようにしている。
【特許文献１】特開2002-104412号公報
【特許文献２】実用新案3131345号公報
【発明の開示】
【発明が解決しようとする課題】
【０００６】
ところが、かかる特許文献１の構成だと、根太材を構成する段ボールの面に垂直方向から荷重が作用するため、上部からの積載荷重及び下部からのフォークリフト使用時の突き上げ荷重に対して根太材が耐力的に弱く、重量積載物に耐えるのは困難である。また、根太材が段ボール片を多層に貼り合せて構成されているため、組立前や分解後の状態で嵩張って取り扱いに不便なものとなる。段ボール片を角柱などの立体物となるように折り曲げたり、厚み方向に重合するように180度折り返して接着し根太材を構成することもできるが、面に垂直方向から荷重が作用する限り強度向上には限界があり、また組立や分解の便に資することにもならない。さらに、フォーク差し込み用の切欠は横根太に位相を揃えて設けられているものの、横根太が間欠的な位置にあるため、フォークが斜めに入った場合に、フォークの先端が切欠から外れて横根太材の立面に衝突し、根太材を傷つけるおそれもある。
【０００７】
一方、特許文献２の構成だと、多数のベース板と多数の支持板の差込切欠同士を膨大な交差位置において嵌合させなければならない上に、かかる支持板には更にベース板の上から嵌め込まれるものと下から嵌め込まれるものの２種類があるため、組立分解に多大な労力と時間を要し、実用性に乏しいものであると言わざるを得ない。
【０００８】
さらに、上記何れの特許文献も、段ボール片を継ぎ合わせることなく組み合わせて構成されているが、一枚の段ボールの大きさには一般に規格上の制限があることに鑑みると、精々１ｍ四方あるいは１ｍ立法程度の積載物に対応できるパレットや箱体を作れるのが限界であり、それ以上の大きさの積載物を適切に積載、運搬するための構成については全く開示、示唆されていないものである。
【０００９】
本発明はこのような課題を解決し、組み立て分解が容易で、大型の重量物であっても適切に運搬できる構造のパレットおよび箱体を実現することを目的としている。
【課題を解決するための手段】
【００１０】
本発明は、かかる目的を達成するために、次のような手段を講じたものである。
【００１１】
すなわち、本発明のパレットは、段ボール片を素材としたトレイパレット、パレットコア、フォークガイド及びフロアボードを具備するものであって、トレイパレットは底面の四辺に折片を有し、その折片を上向きに折り曲げることによって立面を構成するとともに、折り曲げた折片の側縁同士をテープ材等の簡易止着要素で止着することによって上方に開放されたものであり、パレットコアは、櫛歯状をなす複数の縦リブ及び横リブを嵌め合わせた格子構造をなすものであって、横リブの下縁側に位相の揃ったフォークガイド回避用切欠きを有し、前記トレイパレット上に置き敷かれるものであり、フォークガイドはチャネル状をなし、下向きに開口するように前記横リブのフォークガイド回避用切欠内に嵌め合わせられるものであり、フロアボードは、フロアボードは、前記トレイパレットの立面の内側に収まるように前記パレットコア上に載置されるものである。
【００１２】
そして、前記トレイパレットを床上に設置して前記フロアボード上に重量物を載置した状態で、その上載荷重をパレットコアで受圧してトレイパレットの底面に分散支持させるとともに、前記フォークガイドにフォークを差し込んだ状態で、前記上載荷重をフォークガイドを介してフォークほぼ全体に分散支持させるように構成したことを特徴とする。
【００１３】
このような構造からなるパレットであれば、段ボール片同士を嵌め合わせ、或いは差し込むだけで、ほとんど接着剤を用いずに構成することができる。そして、各段ボール片自体に対しては簡単な折り曲げのみを行い、角柱などの立体物となるように折り曲げたり、厚み方向に重合するように180度折り返す必要等がないため、組み立て・分解が簡単である。また、パレットコアが縦横リブを格子状に嵌め合わせたものであり、リブの小口方向に荷重を支持するため、荷重を面で受けるよりも遥かに高い剛性が得られる。その上、フォークを差し込む際にはフォークの爪がフォークガイドによって適切に誘導されるので、パレットコアを損傷する恐れを有効に低減することが可能となる。
【００１４】
段ボールの規格サイズを越えるパレットを適切に製造するためには、少なくともトレイパレット及びフロアボードが、それぞれ複数枚の段ボール片から構成され、トレイパレットを構成する段ボール片同士の継ぎ目は、ホゾ・ホゾ切欠などの凹凸係合構造を介して段ボール片同士を面方向に連ねた構造をなすとともに、フロアボードは、その一部の側縁に設けた折片を折り曲げることによって形成される立面を有し、その立面を前記トレイパレットの立面にテープ材等により固定して、フロアボード及びトレイパレットが中空箱状をなすように構成していることが望ましい。
【００１５】
荷重支持及び荷重分散の実効性をより有効に高めるためには、前記縦リブの上縁に根太挿入切欠を設け、この切欠にフォークガイドと直交する方向に所定ピッチで角型の金属線材からなる根太を嵌め込んで、フォーク差し込み時に上載荷重を根太及びフォークガイドを介してフォークほぼ全体に支持させるようにすることが望ましい。
【００１６】
また、フォークで持ち上げたときリブが外れにくくするためには、パレットコアは、フォークガイドと平行なリブに下縁側に開口する切り込みを形成し、フォークガイドと直交するリブに上縁側に開口する切り込みを形成して、切り込み同士を嵌め合わせている事が好ましい。
【００１７】
さらに、フォークを使用した際、上記ホゾが抜けないようにするためには、トレイパレットを構成する段ボール同士の継ぎ目をフォークガイドと直交させて配置することが望ましい。
【００１８】
特に、フォークを使用してパレットを持ち上げる場合に、フロアボードを外れにくくするとともに強度の向上を図るためには、フロアボードは立面となる折片を有し、その折片をトレイパレットの折片にテープ材等により固定してパレットコアを内部に閉じ込めるようにしていることが望ましい。
【００１９】
このようなパレットを利用して積載物を収容する箱体を接着剤等を用いずに適切に構成するためには、上記パレットの上に積載される積載物の周囲を覆う位置に側面板を更に備えるようにし、その際に側面板は一対の平断面コの字型をなす段ボール片を向き合わせ、側縁部同士を厚み方向に重なり合わせた状態で下端部をパレットの立面の内側に収まるようにフロアボード上に載置していることが好ましい。
【００２０】
このような箱体を積み重ねた場合の圧縮強度を有効に高めるためには、側面板の四隅に剛性のある支柱を、フロアボードに貼着した受圧板に柱脚を支持させ、蓋体に貼着した受圧板に柱頭を固定した状態で取り付けることが好ましい。
【００２１】
以上のように、本発明のパレットは箱体は、大容量の積載物が積載可能となり、また接着剤等を使用していないことより組み立て・分解を容易に行うことが可能となる。
【発明の効果】
【００２２】
本発明は、以上説明した構成であるから、接着剤等をほとんど使用せずにパレットや箱体を構成して、組み立てや分解、保管、分別廃棄等を容易に行うことができるとともに、荷重の分散が適切になされ、段ボール片を継ぎ足しても組立、分解等の便を損ねず、有効な強度等を損ねることもないため、従来では運搬不可能であった大型の積載物を、積載荷重の重みで撓んだり崩れたりすることなく適切に積載、運搬することを可能にする新規有用なパレット及び箱体を提供することができる。
【発明を実施するための最良の形態】
【００２３】
以下、本発明の一実施形態を、図面を参照して説明する。
【００２４】
この実施形態の箱体は、図1及び図５等に示すように、段ボール片を素材とするトレイパレット１、パレットコア２、フォークガイド３およびフロアボード５から構成されるパレットＰに、同じく段ボール片を素材とする側面板６および蓋体９を組み付けて構成されるものである。
【００２５】
図１及び図２に示すように、パレットＰを構成するトレイパレット1は、底面１０の四辺に一対の対向する折片１１，１２を備え、これらの折片１１，１２を上向きに折り曲げることによって立面を形成するようにしたものであり、立面の状態で隣り合う折片１１，１２の側縁同士を図６に示すように簡易止着要素の一つであるテープ材１０ｘで貼り合わせて上方に開放された扁平な受け皿状に組み立てるようにしている。折片１１の一部には立面の状態でフォークを差し込むことが可能なフォーク挿入口１１ａが開口している。フォーク挿入口１１ａを形成する際に部分的に打ち抜いた切り起こし片１１ｂは、折り返した位置で折片１１に重合させて立面の補強として使用している。
【００２６】
また、トレイパレット１は、図２に示すように２枚の段ボール片から構成されており、段ボール片同士の継ぎ目１ｘを凹凸係合構造の一つであるホゾ・ホゾ切欠１３ａ、１３ｂによって厚み方向に係合させ、これにより段ボール片同士を面方向に連ねている。継ぎ目１ｘの延びる方向はフォーク挿入口１１ａと直交方向であり、この継ぎ目１ｘ部分は図示しないテープ材で止めてある。
【００２７】
図３に示しているように、トレイパレット１を組み立てる段階において、対向する折片１１，１１間にフォークリフトのフォーク（爪部分）を差し込むためのフォークガイド３を対をなして平行に配置するようにしている。フォークガイド３は段ボール片を折り曲げて上面と側面からなる下向きチャネル状に形成したもので、トレイパレット１を組み立てた状態で長手方向の両端が図３→図６に示すようにトレイパレット１のフォーク挿入口１１ａよりも若干突出した状態となるようにその長手寸法が設定されている。
【００２８】
また、図３に示すパレットコア２は、櫛歯状をなす複数の縦横リブ２１，２２を嵌め合わせた格子構造をなすものであって、横リブ２２の下縁側に位相の揃ったフォークガイド回避用切欠２２ｂを有し、フォークガイド３と干渉せずに前記トレイパレット１上に置き敷かれる。パレットコア２の外形はトレイパレット１の折片１１，１２を折り曲げることによって形成される立面の内側にほぼ緊密に収まる寸法に設定されている。縦リブ２１には下縁側に開口する切り込み２１ａが設けられ、横リブ２２には上縁側に開口する切り込み２２ａが設けられて、横リブ２２を下から、縦リブ２１を上から、相互に近づけて切り込み２１ａ、２２ａ同士を嵌め合わせることによって、前記パレットコア２は構成されている。この場合の縦リブ２１及び横２２の上縁はほぼ同じ高さに設定されている。縦リブ２１にはさらに、根太４を嵌め込むための根太挿入切欠２１ｂが上縁側に所定ピッチで設けてある。そして、図５に示すように、縦リブ２１上の根太挿入切欠２１ｂに、金属線材である角材製の根太４を嵌め込んで配設するようにしている。根太４は配設状態で上面が縦リブ２１及び横リブ２２からなるパレットコア２の上縁とほぼ同一高さとなるように設定されている。
【００２９】
縦リブ２１は、対を成しているフォークガイド３、３の間にも配設されており、また各々のフォークガイド３とトレイパレット１の折片１１との間にも配設されている。パレットコア２を構成する横リブ２２および縦リブ２１は、それぞれトレイパレット１の一部をなす折片１１、１２に対してほぼ平行な状態となる。
【００３０】
フロアボード５は、図５に示すように、パレットコア２及び根太４の上に配設されるものであり、２枚の段ボール片から構成されていて、トレイパレット１の折片１１，１２に重合する上向きの折片５ａを継ぎ目５ｘとなる縁部以外の縁部に形成している。この場合、図６に示しているように、トレイパレット１の折片１１、１２の高さよりフロアパネル５の配設位置を低くするように、前記折片５ａの高さは設定されている。継ぎ目５ｘの延びる方向は継ぎ目１ｘの延びる方向と直交している。
【００３１】
以上のように構成されるパレットＰに対し、図１、図７及び図８に示すように、当該パレットＰ上に積載される積載物の周囲を覆う位置に側面板６を配設し、この側面板６の上方を蓋体９によって閉止するようにしている。側面板６は、一対の段ボール片を平断面コの字型に折り曲げて向き合わせ、側縁部６ａ同士を重なり合わせて構成される。この側面板６は、図１並びに図６〜図８に示すように、下端側をトレイパレット１の折片１１，１２の内側に収まるようにトレイパレット１の底面１０上に立設される。この側面板６の上に蓋体９を載置するのであるが、その際に側面板６の四隅に鋼材製の支柱７を配設するようにしている。そのために、図４および図６に示すように、フロアボード５の四隅の入隅部に鋼材製の支柱７を配設するための受圧鉄板８ａを両面テープで貼着してその上に支柱７の柱脚を支持させた状態で取り付け、同様に蓋体９の四隅下面の入隅部に図７に示すように受圧鉄板８ｂを貼着して鋼材製の支柱７の柱頭を支持させるようにしている。蓋体９は、前記トレイパレット１とは逆に下方に開放された扁平な受け皿状のものであり、側面板６の上縁に外側から一部被るようにして装着される。
【００３２】
ここで、パレットＰ、さらには箱体Ｂの組み立て手順について説明する。図２に示したようにトレイパレット１を構成する２枚の段ボール片の各々のホゾ・ホゾ切欠１３ａ、１３ｂを嵌め込み、継ぎ目１ｘをテープで貼着する。トレイパレット1の底面１０の四辺に上向きに折り曲げた折片１１、１２により図１、図５、図６等に示した立面を形成し、折片１１，１２の側縁間をテープ材１０ｘで止める。その際、フォークガイド３をフォーク挿入口１１ａに嵌合させた状態で配設し、このフォークガイド３との干渉を避けるようにパレットコア２を配設する。パレットコア２はあらかじめ構築しておいてもよい。そして、パレットコア２の根太挿入切欠２２ｂに金属線材かなる根太４を差し込み、その上からフロアボード５を、上向きに折り曲げた折片５ａを同じく上向きに折り曲げた前記トレイパレット１の折片１１、１２の内側に沿って差し込みながら、フロアボード５をパレットコア２上に載置する。そして、それらの折片５ａ、１１の上縁同士（あるいは、折片５ａ、１２同士）をフィラメントテープ等のテープ材で貼り合わせ、トレイパレット１、パレットコア２、フォークガイド３、根太４、フロアボード５を一体化する。これによりパレットＰが完成する。引き続き箱体Ｂを構成する場合には、図１、図７、図８等に示したように、パレットＰの立面を構成する折片１１の内側に収まるように側面板６をフロアボード５上に載せ置き、その際にフロアボード５の四隅に両面テープを使用して受圧鉄板８を取り付ける。蓋体９は２枚の段ボール片を継ぎ合わせたもので、この蓋体９の裏面における四隅にも同様に受圧鉄板８ｂを両面テープで取り付けておく。そして、蓋体９をかぶせ、箱体Ｂを完成する。箱体Ｂの周囲には、図８に示すようにバンドｂを巻き掛けておくことが好ましい。
【００３３】
段ボール片の大きさに規格上の制約があるとしても、上記の構造であれば例えば２ｍ四方の大きさのパレットＰを製造することができ、更に２ｍ立法の箱体を製造することが可能となる。
【００３４】
次にこのパレットＰに対する荷重のかかり方及び分解時の取り扱い方法を説明する。
フロアボード５に積載される積載物の荷重はフロアボード５を支えている根太４、及び縦横リブ２１，２２から成るパレットコア２を介してトレイパレット１に支持される。
【００３５】
フォーク挿入口１１ａにフォークを差し込んで持ち上げる際には、フロアボード５に積載される積載物の荷重は根太４及びパレットコア２を介してフォークガイド３に伝わり、フォーク全体に分散支持される。この場合、フォークガイド３と根太４は直交しているため、パレットコア２やトレイパレット１が撓むことはない。
【００３６】
そして分解時には、蓋体９及び側面板６、支柱７を取り外し、トレイパレット１の側面に貼られているテープ材１０ｘを剥離することによって、トレイパレット１が展開され、フロアボード５及びパレットコア２が取り出し可能になる。パレットコア２は、根太４を外してこれを構成する縦リブ２１および横リブ２２の嵌め合わせを解除すると簡単に分解することができ、これらのリブ２１，２２を始めとして、トレイパレット１、フロアボード５、側面板６なども簡単に展開して全て平面の段ボール片の状態になるので、厚み方向に嵩張ることなく積み重ねることができ、保管や収納にも便利である。根太４の分別廃棄も簡単となる。
【００３７】
以上のように構成される本実施形態のパレットＰは、段ボール片を素材として構成されるトレイパレット１、パレットコア２、フォークガイド３及びフロアボード５を具備するものであって、トレイパレット１は底面の四辺に折片１１、１２を有し、その折片１１，１２を上向きに折り曲げることによって立面を構成するとともに、折り曲げた折片１１，１２の側縁同士をテープ材１０ｘで貼着することによって上方に開放されたものであり、パレットコア２は、櫛歯状をなす複数の縦リブ２１及び横リブ２２を嵌め合わせた格子構造をなすものであって、横リブ２２の下縁側に位相の揃った切欠き２２ａを有し、前記トレイパレット１上に置き敷かれるものであり、フォークガイド３はチャネル状をなし、下向きに開口するように前記横リブ２２の切欠内に嵌め合わせられるものであり、フロアボード５は、前記トレイパレット１の立面の内側に収まるように前記パレットコア２上に載置されるものである。そして、前記トレイパレット１を床上に設置して前記フロアボード５上に重量物を載置した状態で、その上載荷重をパレットコア２で受圧してトレイパレット１の底面に分散支持させるとともに、前記フォークガイド３にフォークを差し込んだ状態で、前記上載荷重をフォークガイド３を介してフォークほぼ全体に分散支持させるように構成したものである。
【００３８】
このように、段ボール片同士を嵌め合わせ、或いは差し込むだけで、テープ材１０ｘ等を用いるほかは殆どの部位を接着剤を用いずにパレットＰを構成することができる。そして、各段ボール紙片自体に対しては簡単な折り曲げのみを行い、角柱などの立体物となるように折り曲げたり、厚み方向に重合するように180度折り返す必要等がないため、組み立て・分解が簡単である。この場合のテープ材１０ｘは、直接荷重を支持するものではないため、受け皿状のトレイパレット１の形状を維持するには十分であり、且つ簡単に剥してトレイパレット１を展開することができる。しかも、パレットコア２が縦横リブ２１，２２を格子状に嵌め合わせたものであり、リブ２１，２２の小口方向に荷重を支持するため、荷重を面で受けるよりも遥かに高い剛性が得られる。その上、フォークを差し込む際にはフォークの爪がフォークガイド３によって適切に誘導されるので、パレットコア２を損傷する恐れを有効に低減することが可能となる。
【００３９】
また、少なくともトレイパレット１及びフロアボード５が、それぞれ複数の段ボール片から構成され、トレイパレット１を構成する段ボール片同士の継ぎ目１ｘは、ホゾ・ホゾ切欠１３ａ・１３ｂなどの凹凸係合構造を介して面方向に連ねた構造をなすとともに、フロアボード５は、その一部の側縁に設けた折片５ａを下向きに折り曲げることによって形成される立面を有し、その立面を前記トレイパレット１の立面と前記パレットコア２の外周位との間に差し込んで嵌め合わされているので、一枚の段ボールの大きさに規格上の制限があるような場合であっても、上記のようにして大型のパレットＰを有効に構成することができる。しかも、トレイパレット１の底面に面方向に分解しないように凹凸係合構造を設けているので、所定の形状を適切に維持することができる。折片５ａにより構成されるフロアボード５の立面を折片１１により構成されるトレイパレット１の立面にテープ材により固定して、フロアボード５及びトレイパレット１が中空箱状をなすように構成しているので、パレットＰに十分な強度を付与するとともに、分解のおそれも低減し、適切な床面を持続的に提供することができる。
【００４０】
また、前記縦リブ２１の上縁に根太挿入切欠２１ｂを設け、この根太挿入切欠２１ｂにフォークガイド３と直交する方向に所定ピッチで金属線材からなる根太４を嵌め込んで、フォーク差し込み時に上載荷重を根太４及びフォークガイド３を介してフォークほぼ全体に支持させるようにしているため、フォークの非差込時、フォーク差込時、いずれの場合にも、トレイパレット１の底面に撓み荷重を作用させないようにすることができ、大型のパレットＰを構成しても、荷重支持を適切に行うことができる。しかも、根太４は縦リブ２１の根太挿入切欠２１ｂに嵌め込むだけなので、組立や分解、分別が複雑化することもなく、強度向上と取り扱いの便を好適に両立させることができる。
【００４１】
パレットコア２は、フォークガイド３と平行な縦リブ２１に下縁側に開口する切り込み２１ａを形成し、フォークガイド３と直交する横リブ２２に上縁側に開口する切込み２２ａを形成して、切り込み２１ａ、２２ａ同士を嵌め合わせたものであるゆえに、フォークを挿入して持ち上げた際、リブ２１・２２同士がより深く嵌り合う関係になるので、リブ２１・２２がはずれることを防止することができる。
【００４２】
さらに、トレイパレット１を構成する段ボール片同士の継ぎ目１ｘがフォークガイド３に平行であると、フォークを使用した際に各段ボール片がフォークに別個に支持されて、ホゾ１３ａが抜ける方向の力が作用する可能性があるが、本実施形態では段ボール片同士の継ぎ目１ｘをフォークガイド３と直交させて配置しているので、各段ボール片が左右のフォークにまたがって支持されることになり、トレイパレット１が分解に至る事態を有効に防止することができる。
【００４３】
さらにまた、フロアボード５は立面となる折片５ａを有し、その折片５ａをトレイパレット１の折片１１、１２にテープ材により固定してパレットコア２を内部に閉じ込た状態でトレイパレット１、パレットコア２、フォークガイド３、根太４、フロアボード５を一体化しているため、特に段ボール片を継ぎ合わせた場合に、パレットＰに高い強度を得ることができる。この場合、フロアボード５の継ぎ目５ｘはトレイパレット１の継ぎ目１ｘと直交しているため、立面を構成する折片５ａ、１１同士（あるいは、折片５ａ、１２同士）を貼り合わせれば、全体が分離しないように一体化されることとなる。
【００４４】
一方、上記のような大型のパレットＰを利用して構成される箱体は、パレットＰの上に積載される積載物の周囲を覆う側面板６を更に備え、この側面板６は一対の平断面コの字型をなす段ボール片を向き合わせ、側縁部６ａ同士を厚み方向に重なり合わせた状態で下端部をパレットＰの立面を構成する折片１１，１２の内側に収まるようにフロアボード５上に載置しているため、接着剤を用いずに組み付け状態を維持することができ、また重ね合わせたことで、継ぎ目部分６ａにおいて箱体の強度向上を有効に図ることができる。
【００４５】
この場合、側面板６の四隅に鋼材製の支柱７を、フロアボード５に貼着した受圧鉄板８ａに柱脚を支持させた状態で取り付けるとともに、側面板６の上に更に蓋体９を備え、この蓋体９に貼着した受圧鉄板８ｂに鋼材製の支柱７の柱頭を支持させているので、受圧鉄板８ａ、８ｂを介在させることによって支柱７の端面を間接的に段ボール片に貼着することができる。そして、支柱７によって、箱体を積み重ねた場合の圧縮強度を有効に高めることが可能となる。
【００４６】
なお、本実施形態において、上記のパレットＰや箱体Ｂを構成する各パーツ（段ボール片）は、全て平面状のものを利用するか、簡単な折り曲げを行う程度で構成できるため、ＣＡＤやＣＡＭを使ってほぼ全てのパーツを段ボール素材から切り出すことができ、高い加工精度を得ることができる。しかも、ＣＡＤやＣＡＭにおける各部の寸法はＰＣにおける設定を通じて自在に行うことができ、パレットＰや箱体Ｂの縦横、高さ寸法に応じて形状や大きさを自由に規定することができるため、大型であっても小ロットであっても簡単に対応することができ、受注ロットの大小を問わず、木型を製作する場合に比して加工を格段に平易化することができる。
【００４７】
以上、本発明の一実施形態について説明したが、各部の具体的な構成は、上述した実施形態のみに限定されるものではなく、本発明の趣旨を逸脱しない範囲で種々変形が可能である。
【図面の簡単な説明】
【００４８】
【図１】本発明の一実施形態に係るパレットおよび箱体の組立手順を示す斜視図。
【図２】同実施形態のパレットを構成するトレイパレットの詳細平面図。
【図３】同パレットの一部についての組み立て手順を示す斜視図。
【図４】同パレットの一部についての平面図。
【図５】同パレットを構成するフロアボードの取り付け手順を示す斜視図。
【図６】同パレットの完成状態を示す全体斜視図。
【図７】同パレットに組み付けられる側面板及び蓋体を示す斜視図。
【図８】同実施形態に係る箱体の完成斜視図。
【符号の説明】
【００４９】
１・・・トレイパレット
１１・・・折片
１２・・・折片
１１ａ・・・フォークガイド挿入口
１３ａ・・・ホゾ
１３ｂ・・・ホゾ切欠
２・・・パレットコア
２１・・・縦リブ
２１ａ・・・切り込み
２１ｂ・・・根太挿入切欠
２２・・・横リブ
２２ａ…切り込み
２２ｂ・・フォークガイド回避用切欠
３・・・フォークガイド
４・・・根太
５・・・フロアボード
５ａ・・・折片
６・・・側面板
６ａ・・・先端部
７・・・支柱
８ａ・・・受圧板
９・・・蓋体
【図１】
2010064762.tif 000003
【図２】
2010064762.tif 000004
【図３】
2010064762.tif 000005
【図４】
2010064762.tif 000006
【図５】
2010064762.tif 000007
【図６】
2010064762.tif 000008
【図７】
2010064762.tif 000009
【図８】
2010064762.tif 000010